(57)【要約】【課題】  読み手の簡単な操作により、多くの情報を選択して表示することができる可逆熱変色印刷物を提供する。【解決手段】  被印刷体の表面に、温度が体温若しくはそれ以上の温度に上昇することにより有色状態から無色透明状態に可逆的に遷移する熱退色インキで形成された印刷層と、温度が体温若しくはそれ以上の温度に上昇することにより無色透明状態から有色状態に可逆的に遷移する熱発色インキで形成された印刷層とを設け、読み手は、指などで該可逆熱変色印刷物の表面を擦るなどして表面温度を変化させ、熱退色インキで形成された印刷層及び熱発色インキで形成された印刷層の何れか一方の印刷層を有色状態とし、他方の印刷層を無色透明状態として、両印刷層の何れか一方の印刷層の文字等を選択的に認識可能とする。【選択図】      図１
2005059423.tif 000002
【特許請求の範囲】
【請求項１】
温度変化によって可逆的に色が変化する熱変色インキを被印刷体に印刷した可逆熱変色印刷物であって、
温度が体温若しくはそれ以上の温度に上昇すると、有色状態から無色透明状態に遷移する熱退色インキで形成された第１の印刷層と、
この第１の印刷層と重なる部分を有し、温度が体温若しくはそれ以上の温度に上昇すると無色透明状態から有色状態に遷移する熱発色インキで形成された第２の印刷層とを有することを特徴とする可逆熱変色印刷物。
【請求項２】
温度変化によって可逆的に色が変化する熱変色インキを被印刷体に印刷した可逆熱変色印刷物であって、
前記被印刷体の表面に形成された第１の印刷層と、
前記被印刷体の表面と前記第１の印刷層とを覆い、温度が体温若しくはそれ以上の温度に上昇すると無色透明状態から有色状態に遷移する熱発色インキで形成された隠蔽印刷層と、
この隠蔽印刷層の表面に熱発色インキで形成された第２の印刷層とを有し、
前記第２の印刷層は前記隠蔽印刷層を介して前記第１の印刷層と重なる部分を有することを特徴とする可逆熱変色印刷物。
【請求項３】
温度変化によって可逆的に色が変化する熱変色インキを被印刷体に印刷した可逆熱変色印刷物であって、
前記被印刷体の表面に形成された第１の印刷層と、
前記被印刷体の表面と前記第１の印刷層とを覆い、温度が体温若しくはそれ以上の温度に上昇すると有色状態から無色透明状態に遷移する熱退色インキで形成された隠蔽印刷層と、
この隠蔽印刷層の表面に熱退色インキで形成された第２の印刷層とを有し、
前記第２の印刷層は前記隠蔽印刷層を介して前記第１の印刷層と重なる部分を有することを特徴とする可逆熱変色印刷物。
【請求項４】
前記体温若しくはそれ以上の温度は摂氏３５度〜５８度であることを特徴とする請求項１〜３に記載の可逆熱変色印刷物。
【請求項５】
請求項１〜４に記載の可逆熱変色印刷物の前記各印刷層を形成した印刷面を、更に透明な非熱変色性材料層で覆ったことを特徴とする可逆熱変色印刷物。
【発明の詳細な説明】
【技術分野】
【０００１】
本発明は、少ない表示スペースでより多くの情報を表示することができる可逆熱変色印刷物に関するものである。
【背景技術】
【０００２】
文字、図形、記号等の視覚情報を表示する印刷物において、より多くの情報を表示するためには、印刷物の紙面等（面積）を大きくするか、頁数を増やすか、あるいは文字等を極力小さくする必要がある。例えば、地図の場合、地形、地名等の表示すべき情報が多くなると、これら情報の読取りが困難になるため、地図を見開きや大型化して地名等を見易くするなどの必要がある。関連ある情報、例えば問題集や単語集等における問題及び解答は、解答を小さい文字で脚注として表示するか、あるいは問題とは別の頁に印刷するなどしなければならない。また、支持体に可逆熱変色インキからなる印刷層を形成し複数の像を同一の表示スペースに表示する技術があるが（特許文献１）、これは支持体の表面上に印刷された可逆熱変色インキの視覚情報が周囲温度等に応じて受動的に顕れたり隠れたりするものである。
【特許文献１】特開平８−３００５３９号公報
【発明の開示】
【発明が解決しようとする課題】
【０００３】
多くの文字情報等を限られた紙面等に小さな文字で印刷した印刷物は、視力の弱い者や老齢者には不便である。定期入れ等に収納し携行する地図等（例えば鉄道路線図等）を大型化すると利便性に欠け、解答を脚注に小さな文字で印刷した問題集等は解答等へのアクセスの利便性が低下し、頁数を増加した問題集等は携行に不便である。また、可逆熱変色インキにより視覚情報を隠顕可能としても、周囲温度等に受動的に反応する支持体では、読み手がそのニーズに基づき視覚情報を選択して表示することはできない。
【０００４】
本発明は上記問題を解決するためになされたものであり、読み手の簡単な操作により可逆的に熱変色して文字等を選択的に表示することができ、従って印刷文字等を小さくすることなく、あるいは印刷物を大型化したり頁数を増加させることなく、より多くの情報、例えば関連ある複数の情報を読み手が選択して表示することができる可逆熱変色印刷物を提供することを目的とする。
【課題を解決するための手段】
【０００５】
本発明は上記の問題を解決するためなされたものであり、被印刷体の表面に、温度が体温若しくはそれ以上の温度に上昇することにより有色状態から無色透明状態に可逆的に遷移する熱退色インキ（熱変色インキ）で形成された第１の印刷層と、この第１の印刷層と重なる部分を有し、温度が体温若しくはそれ以上の温度に上昇することにより無色透明状態から有色状態に可逆的に遷移する熱発色インキ（熱変色インキ）で形成された第２の印刷層とを形成した可逆熱変色印刷物（請求項１）では、温度が前記体温若しくはそれ以上の温度よりも低い温度（例えば室温）において（以下、「通常状態」と表示する。）、前記第２の印刷層は無色透明状態となり、読み手は有色状態にある前記第１の印刷層の文字等を目視することとなる。
【０００６】
読み手が該可逆熱変色印刷物の表面のある領域を指などで擦ると、該表面は体温と摩擦熱により前記体温若しくはそれ以上の温度に上昇する（以下、「加温状態」と表示する。）。
【０００７】
こうして得られる加温状態においては、前記第１の印刷層（熱退色インキ）の文字等は有色状態から無色透明状態に遷移し読み手に認識されなくなる一方、無色透明状態から有色状態に遷移した前記第２の印刷層（熱発色インキ）の文字等が読み手により認識される。即ち、読み手は、該可逆熱変色印刷物の表面を擦るなどの簡単な操作により、重なる部分を有して形成された前記第１及び第２の印刷層の何れか一方の文字等を選択して目視することができる。
【０００８】
次に、被印刷体の表面に形成された第１の印刷層と、前記被印刷体の表面及び前記第１の印刷層を覆って温度が体温若しくはそれ以上の温度に上昇することにより無色透明状態から有色状態に可逆的に遷移する熱発色インキで形成された隠蔽印刷層と、この隠蔽印刷層の表面に熱発色インキにより形成された第２の印刷層とを有し、前記第２の印刷層は前記隠蔽印刷層を介して前記第１の印刷層と重なる部分を有する可逆熱変色印刷物（請求項２）においては、通常状態では、前記第２の印刷層及び前記隠蔽印刷層は無色透明状態にあるため、読み手は前記第１の印刷層の文字等を目視することとなる。
【０００９】
読み手が該可逆熱変色印刷物の表面のある領域を指で擦り加温状態とすると、無色透明状態から有色状態に遷移した該領域の隠蔽印刷層が前記第１の印刷層を覆い隠す一方、無色透明状態から有色状態に遷移した該領域の前記第２の印刷層の文字等が隠蔽印刷層の表面に顕れる。即ち、読み手は、重なる部分を有して形成された前記第１及び第２の印刷層の何れか一方の文字等を、簡単な操作で選択して目視することができる。この場合、前記第１の印刷層が熱退色インキで形成された印刷層であれば、加温状態での前記隠蔽印刷層による前記第１の印刷層の隠蔽はより確実なものとなる。
【００１０】
また、被印刷体の表面に形成された第１の印刷層と、前記被印刷体の表面及び前記第１の印刷層を覆って温度が体温若しくはそれ以上の温度に上昇することにより有色状態から無色透明状態に可逆的に遷移する熱退色インキで形成された隠蔽印刷層と、この隠蔽印刷層の表面に熱退色インキにより形成された第２の印刷層とを有し、前記第２の印刷層は前記隠蔽印刷層を介して前記第１の印刷層と重なる部分を有する可逆熱変色印刷物（請求項３）においては、通常状態では、前記第２の印刷層及び前記隠蔽印刷層は有色状態にあるため、前記第１の印刷層は隠蔽されて、読み手は前記第２の印刷層の文字等を目視することになる。
【００１１】
読み手が該可逆熱変色印刷物の表面のある領域を指で擦り加温状態とすると、該領域の第２の印刷層は有色状態から無色透明状態に遷移して第２の印刷層の文字等が認識されなくなるとともに、隠蔽印刷層が有色状態から無色透明状態に遷移して前記第１の印刷層の文字等が顕れる。即ち、読み手は、重なる部分を有して形成された前記第１及び第２の印刷層の何れか一方の文字等を、簡単な操作で選択して認識することができる。この場合、前記第１の印刷層が熱発色インキで形成された印刷層であれば、通常状態での前記隠蔽印刷層による前記第１の印刷層の文字等の隠蔽はより確実なものとなる。
【００１２】
前記体温若しくはそれ以上の温度が摂氏３５度〜５８度（以下、温度は「摂氏」を省略して表示する。）である該可逆熱変色印刷物は、通常状態では熱発色インキで形成された印刷層を確実に無色透明状態とすることができ、また、該可逆熱変色印刷物を指で擦ることにより体温と摩擦熱とで容易に３５度〜５８度の加温状態を得ることができる（請求項４）。即ち前記第１の印刷層の文字等と前記第２の印刷層の文字等とを読み手は確実に選択して表示させることができる。
【００１３】
前記各印刷層が形成された印刷面に、更に透明な非熱変色性材料層を形成することにより、当該可逆熱変色印刷物の表面を指などで擦ることにより生じる前記各印刷層の摩耗を防止することが可能となり、当該可逆熱変色印刷物の耐久性を向上させることができる（請求項５）。
【発明の効果】
【００１４】
以上のように、本発明の可逆熱変色印刷物によれば、読み手は、印刷物の表面を指で擦るなどの簡単な操作により、熱発色インキで形成された印刷層、及びこの熱発色インキで形成された印刷層と重なる部分を有する熱退色インキで形成された印刷層の何れか一方の文字、図形、記号等を選択して目視することができる。
【００１５】
また、本発明の可逆熱変色印刷物によれば、読み手は、印刷物の表面を指で擦るなどの簡単な操作により、熱発色インキあるいは熱退色インキで形成された隠蔽印刷層の表面に同じく熱発色インキあるいは熱退色インキで印刷された文字等、及び上記隠蔽印刷層を介して上記表面の印刷層と重なる部分を有する上記隠蔽層で覆われた印刷層による文字等を選択して目視することができる。
【００１６】
従って、本発明の可逆熱変色印刷物によれば、印刷物を大型化したり脚注に小さな文字を印刷したりあるいは頁数を増加させることなく、即ち印刷物の限られた表示スペースに、多くの文字等の視覚情報あるいは関連ある複数の情報を、読み手が簡単に選択して表示することができるという印刷物としては極めて有用な効果を奏することができる。
【発明を実施するための最良の形態】
【００１７】
（第１の実施形態）
図１は本発明の第１の実施形態に係る可逆熱変色印刷物１の概略断面構造を示す図である。図１（ａ）に示す可逆熱変色印刷物１においては、被印刷体（例えば紙やプラスティック・フィルム）１０の表面１０ａには、通常状態から加温状態への変化に伴い有色状態から無色透明状態に可逆的に遷移する熱退色インキ（熱変色インキ）で文字等を印刷した第１の印刷層１１ｃが形成されている。また、この第１の印刷層１１ｃと重なる部分を有し通常状態から加温状態になると無色透明状態から有色状態に可逆的に遷移する熱発色インキ（熱変色インキ）で文字等を印刷した第２の印刷層１２ｈが形成されている。
【００１８】
すると可逆熱変色印刷物１が通常状態にあるときには、第２の印刷層１２ｈ（熱発色インキ）は無色透明状態にあるため、読み手は有色状態にある第１の印刷層１１ｃ（熱退色インキ）による文字等を認識することとなる。読み手が表面１０ａのある領域を指で擦ると、体温や摩擦熱により該領域は加温状態となり、第１の印刷層１１ｃ（熱退色インキ）は有色状態から無色透明状態に遷移する。すると読み手は、第１の印刷層１１ｃによる文字等に代わり、無色透明状態から有色状態に遷移した第２の印刷層１２ｈ（熱発色インキ）による文字等を認識することとなる。加温状態となった可逆熱変色印刷物１を放置すれば、可逆熱変色印刷物１は熱を放出して通常状態へ戻る。即ち、読み手は可逆熱変色印刷物１を指などで擦ることにより、第１の印刷層１１ｃおよび第２の印刷層１２ｈの文字等を任意に選択し目視できる。
【００１９】
図１（ａ）に示すように、第１の印刷層１１ｃと第２の印刷層１２ｈとが重なる部分において、第２の印刷層１２ｈが第１の印刷層１１ｃの上面に形成されている場合、通常状態において、無色透明状態にある第２の印刷層１２ｈ（熱発色インキ）は有色状態にある第１の印刷層１１ｃによる文字等を隠蔽しない。図１（ａ）とは逆に、第１の印刷層１１ｃが第２の印刷層１２ｈの上面に形成されている場合（図示せず）、加温状態において、無色透明状態にある第１の印刷層１１ｃは有色状態にある第２の印刷層１２ｈによる文字等を隠蔽しない。即ち、第１の印刷層１１ｃと第２の印刷層１２ｈとが重なる部分において、何れの印刷層が他方の印刷層の上面に形成されても問題はない。
【００２０】
更に、被印刷体１０、第１の印刷層１１ｃ及び第２の印刷層１２ｈの表面を、図１（ｂ）に示すように、透明な非熱変色性インキ１４の層（透明な非熱変色性材料層）で覆った可逆熱変色印刷物１では、各印刷層１１ｃ，１２ｈは摩擦等から保護され可逆熱変色印刷物としての耐久性が向上する。
なお、本発明に使用可能な熱変色インキとして、例えば株式会社セイコーアドバンスの熱変色インキ、商品名「ＵＶサーマルインキ」（温度１度〜５８度の範囲で変色）や、ＣＨＲＯＭＡＴＩＣ  ＴＥＣＨＮＯＬＯＧＩＥＳ，ＩＮＣ．の熱変色インキ、商品名「リバーシブルサーモクロミックインキ」（温度−５度〜５５度の範囲で変色）がある。また透明な非熱変色性インキとしては、例えば、株式会社セイコーアドバンス  商品名「ＴＵＰストリッパブルインキ」がある。
【実施例１】
【００２１】
図２は第１の実施形態に係る可逆熱変色印刷物１の一実施例（実施例１）を示す。
図２（ａ）は被印刷体１０の表面１０ａに第１の印刷層１１ｃとして熱退色インキで印刷された文字「しろ」を示す図である。図２（ｂ）は同様に第２の印刷層１２ｈとして熱発色インキで印刷された文字「白」を示す図である。図２（ｃ）は第１の印刷層１１ｃと第２の印刷層１２ｈとの重なり具合を示す図である。
【００２２】
通常状態（図２（ｄ））では、第２の印刷層１２ｈ（熱発色インキ）の「白」は退色しており、第１の印刷層１１ｃ（熱退色インキ）の「しろ」が表面１０ａに顕れる。加温状態（図２（ｅ））では、第１の印刷層１１ｃ（熱退色インキ）は退色し、第２の印刷層１２ｈ（熱発色インキ）による文字「白」が表面１０ａに顕れる。加温状態（図２（ｅ））となった可逆熱変色印刷物１を放置すれば、可逆熱変色印刷物１は通常状態（図２（ｄ））へ戻る。即ち、読み手は、可逆熱変色印刷物１を指で擦るなどして、第１の印刷層１１ｃの文字（例えば「白」）あるいは第２の印刷層１２ｈの文字（例えば「しろ」）を選択して読むことができる。
【００２３】
実施例１は、例えば第１の印刷層１１ｃを設問（ひらがな表示あるいは日本語表示）とし第２の印刷層１２ｈをその解答（前記ひらがなの漢字表示あるいは前記日本語の英訳表示）とすることで、設問及び解答など、関連はあるが同時に表示するには適さない複数の情報の何れか一方を選択し、可逆熱変色印刷物１の表面に表示させることができる。ここで、設問とその解答等は何れも可逆熱変色印刷物の同一頁の表面に広い範囲にわたって印刷できるため、設問および解答は何れも読みやすく、また頁をめくる煩雑さもない。
【００２４】
（第２の実施形態）
図３は本発明の第２の実施形態に係る可逆熱変色印刷物の概略断面構造を示す図である。該可逆熱変色印刷物では、通常状態において第１の印刷層（熱退色インキ）の文字等が認識され、加温状態において隠蔽印刷層（熱発色インキ）が第１の印刷層を覆い隠し、隠蔽印刷層の表面に形成された第２の印刷層（熱発色インキ）の文字等が認識される。なお、第１実施形態と同様の機能を有する構成要素には同一の符号を付してその説明を省略する。
【００２５】
第２の実施形態に係る可逆熱変色印刷物２は、図３（ａ）に示すように、被印刷体１０の表面１０ａに熱退色インキで文字等を印刷した第１の印刷層１１ｃが形成されて、表面１０ａと第１の印刷層１１ｃとは、熱発色インキによる隠蔽印刷層１３ｈで覆われている。そして隠蔽印刷層１３ｈの表面には熱発色インキによる第２の印刷層１２ｈが形成され、第２の印刷層１２ｈは隠蔽印刷層１３ｈを介して第１の印刷層１１ｃと重なる部分を有している。従って通常状態では、第２の印刷層１２ｈ及び隠蔽印刷層１３ｈは無色透明状態であり、有色状態にある第１の印刷層１１ｃの文字等が読み手により認識される。
【００２６】
読み手が表面１０ａのある領域を指で擦り加温状態とすると、無色透明状態から有色状態に遷移した隠蔽印刷層１３ｈ（熱発色インキ）が第１の印刷層１１ｃを覆い隠す。このとき第１の印刷層１１ｃ（熱退色インキ）の文字等は退色するので、隠蔽印刷層１３ｈによる第１の印刷層１１ｃの隠蔽はより確実なものとなる。また隠蔽印刷層１３ｈの表面に形成された第２の印刷層１２ｈ（熱発色インキ）の文字等は無色透明状態から有色状態に遷移する。こうして隠蔽印刷層１３ｈの表面に第２の印刷層１２ｈの文字等が顕れる。
【００２７】
従って読み手は可逆熱変色印刷物２を指などで擦ることにより、第１の実施形態に係る可逆熱変色印刷物１と同様に第１の印刷層１１ｃおよび第２の印刷層１２ｈの何れか一方の文字等を任意に選択し目視できる。
更に第２の印刷層１２ｈ及び隠蔽印刷層１３ｈの表面を、図３（ｂ）に示すように、透明な非熱変色性インキ１４で覆った可逆熱変色印刷物２では、各印刷層１２ｈ，１３ｈが摩擦等から保護され可逆熱変色印刷物としての耐久性が向上する。
【００２８】
なお、加温状態になると、隠蔽印刷層１３ｈ（熱発色インキ）は発色して第１の印刷層を覆い隠すため、第１の印刷層１１ｃは非熱変色性インキで形成されても良い。
【実施例２】
【００２９】
図４は第２の実施形態に係る可逆熱変色印刷物２の一実施例（実施例２）を示す。実施例２は、可逆熱変色印刷物２を地図に適用した実施例である。
図４（ａ）に示すように、被印刷体１０の表面１０ａには、第１の印刷層１１ｃとして熱退色インキでＡ駅周辺の地図が印刷されている。Ａ駅は鉄道Ｂ線とＣ線との連絡駅であり、また、Ａ駅の駅前広場には、ｄバスの停留場（ターミナル）がある。「Ａ駅」を表示する周辺には、Ｂ線、Ｃ線、駅前広場、ｄバスの連絡等を表示する必要があるが、地図の大きさに制約がある場合には、これらＡ駅に関連する情報をすべて一つの印刷層で表示するスペースを確保できないときがある。
【００３０】
そこで、熱発色インキで形成される隠蔽印刷層１３ｈ（図示せず）により、第１の印刷層１１ｃを覆い、「Ａ駅」と表示された領域を覆う隠蔽印刷層１３ｈの表面に、図４（ｂ）に示すように、第２の印刷層１２ｈとして熱発色インキで、Ａ駅でのバス連絡の情報として、「ｄバス連絡」が印刷されている。
通常状態では、第２の印刷層１２ｈ及び隠蔽印刷層１３ｈ（何れも熱発色インキ）は無色透明状態となり、読み手は、第１の印刷層１１ｃ（熱退色インキ）として印刷されたＡ駅周辺の地図（図４（ａ））を認識することができる。
【００３１】
読み手が例えば「Ａ駅」と表示された領域を指で擦るなどして加温状態とすると、該領域にある第１の印刷層１１ｃ（熱退色インキ）は退色し、該領域にあって第１の印刷層１１ｃの表面を覆って形成された隠蔽印刷層１３ｈ（熱発色インキ）が（例えば黄色に）発色して「Ａ駅」の表示を覆い隠す。更に該領域において隠蔽印刷層１３ｈの表面に形成された第２の印刷層１２ｈが（例えば黒または青に）発色して、「ｄバス連絡」が表示される（図４（ｃ））。このように、読み手は「Ａ駅」の表示がある領域を加温状態とすることで、「Ａ駅」の連絡バス情報である「ｄバス連絡」の表示を目視することができる。
【００３２】
加温状態となった可逆熱変色印刷物２を放置すると、可逆熱変色印刷物２は通常状態へ戻り再びＡ駅周辺の地図（図４（ａ））を表示する。即ち、可逆熱変色印刷物２による地図は、見開きしたり大型化することなく、地図とそれに関連する情報を、読み手の選択により同一の紙面（同一頁）に表示することができる。
なお、加温状態にて地図に表示される情報は、交通に関する情報に限定されず、例えば等高線や標高の表示等の各種地図情報であってもよい。あるいは第２の印刷層１２ｈとして熱発色インキでＡ駅の鉄道やバスの時刻表等を印刷してもよい。Ａ駅周辺の地図情報が少ない場合には、時刻表を「Ａ駅」の表示に周辺に限定することなく、広い範囲に第２の印刷層１２ｈとして熱発色インキで印刷してもよい。
【実施例３】
【００３３】
図５は第２の実施形態に係る可逆熱変色印刷物２の他の実施例（実施例３）を示す。実施例３は、可逆熱変色印刷物２を取扱説明書（例えば機器の外観図及び操作説明文の表示）に適用した実施例である。
図５（ａ）に示すように、可逆熱変色印刷物２は電話機２０の外観を表示するもので、電話機２０が有する送受話器２１、ディスプレイ部２２、テンキー部２３、ファンクションキー部２４は第１の印刷層１１ｃとして熱退色インキで印刷されている。ファンクションキー部２４とその周辺部分の第１の印刷層１１ｃは熱発色インキで形成される隠蔽印刷層１３ｈ（図５（ｂ）図示）により覆われ、その隠蔽印刷層１３ｈの表面にはファンクションキー部２４の操作を説明する文章が第２の印刷層１２ｈ（熱発色インキ）により印刷されている（図示せず）。
【００３４】
通常状態では、熱発色インキで形成される第２の印刷層１２ｈ及び隠蔽印刷層１３ｈは何れも無色透明状態となり、読み手は、第１の印刷層１１ｃ（熱退色インキ）として印刷された電話機２０の外観図（図５（ａ））を目視することができる。
読み手が例えばファンクションキー部２４が表示された領域を指で擦るなどして加温状態とすると、該領域にある第１の印刷層１１ｃ（熱退色インキ）は退色し、該領域にあって第１の印刷層１１ｃの表面を覆って形成された隠蔽印刷層１３ｈ（熱発色インキ）が（例えば黄色に）発色して外観図のファンクションキー部２４の表示を覆い隠す。更に該領域において隠蔽印刷層１３ｈの表面に形成された第２の印刷層１２ｈが（例えば黒または青に）発色して、ファンクションキー部２４の操作を説明する文章が表示される。
【００３５】
このように、読み手は、可逆熱変色印刷物２により、通常状態においては機器の外観を目視でき、機器外観の操作要素（例えばファンクションキー部）を表示する領域を指で擦るなどして加温状態とすると、該操作要素の操作方法を知ることができる。ここで、機器の操作方法は、機器の外観図と同様に可逆熱変色印刷物の同一頁の広い範囲にわたって印刷できるため、読みやすく、また機器の操作方法を機器の外観図とは別頁に印刷した取扱説明書のように頁をめくる煩雑さもない。
【００３６】
第１の印刷層１１ｃを熱退色インキ、第２の印刷層１２ｈを熱発色インキとする実施例２，３において、隠蔽印刷層１３ｈ（熱発色インキ）を省略すれば、実施例２，３は第１の実施形態による可逆熱変色印刷物となる。
なお、実施例３において、第１の印刷層１１ｃを非熱変色性インキとし、ファンクションキー部２４とその周辺部分を覆うように隠蔽印刷層１３ｈ（熱発色インキ）を形成し（図５（ｂ））、この隠蔽印刷層１３ｈの表面に第２の印刷層１２ｈ（熱発色インキ）によりファンクションキー部２４の操作の説明文を印刷してもよい。このような可逆熱変色印刷物２では、隠蔽印刷層１３ｈの領域を加温状態とすることで、図５（ｃ）に示すように、電話機２０のファンクションキー部２４とその周辺部分が隠蔽印刷層１３ｈで隠蔽され、隠蔽印刷層１３ｈの表面にはファンクションキー部２４の操作の説明文（図示せず）が顕れる。
【００３７】
なおまた、テンキー部２３を表示する第１の印刷層１１ｃの表面を覆うように印刷された隠蔽印刷層１３ｈの表面にファンクションキー部２４の操作の説明文（図示せず）を印刷してもよい。このような可逆熱変色印刷物２においては、テンキー部２３が表示された部分を加温状態とすることで（テンキー部２３は隠蔽印刷層１３ｈで覆われるが）ファンクションキー部２４を外観図で目視しながら、ファンクションキー部２４の操作の説明文を読むことが可能となる。このように、第１の印刷層１１ｃ及び第２の印刷層１２ｈで表示される関連情報は、互いに重なるように位置付けられて印刷されなくてもよい。
【００３８】
（第２の実施形態の変形例）
図６は第２の実施形態の変形例に係る可逆熱変色印刷物の概略断面構造を示す図である。該可逆熱変色印刷物では、通常状態において第１の印刷層の文字等を隠蔽印刷層（熱退色インキ）が覆い隠して、隠蔽印刷層の表面に形成された第２の印刷層（熱退色インキ）による文字等が認識され、加温状態においては隠蔽印刷層及び第２の印刷層が無色透明状態となって、第１の印刷層の文字等が認識される。なお、第１，２の実施形態と同様の機能を有する構成要素には同一の符号を付してその説明を省略する。
【００３９】
上記変形例に係る可逆熱変色印刷物３は、図６（ａ）に示すように、被印刷体１０の表面１０ａに、熱発色インキで文字等を印刷した第１の印刷層１１ｈが形成されて、表面１０ａ及び第１の印刷層１１ｈは、熱退色インキによる隠蔽印刷層１３ｃで覆われている。そして隠蔽印刷層１３ｃの表面には熱退色インキによる第２の印刷層１２ｃが形成され、第２の印刷層１２ｃは隠蔽印刷層１３ｃを介して第１の印刷層１１ｈと重なる部分を有している。従って通常状態では、有色状態にある隠蔽印刷層１３ｃ（熱退色インキ）が第１の印刷層を覆い隠す。このとき第１の印刷層１１ｈ（熱発色インキ）は退色しており隠蔽印刷層１３ｃによる第１の印刷層の隠蔽はより確実なものとなる。また隠蔽印刷層１３ｃの表面に形成されて有色状態にある第２の印刷層１２ｃ（熱退色インキ）の文字等が認識可能となる。
【００４０】
読み手が表面１０ａのある領域を指で擦ると、該領域は加温状態となり、第２の印刷層１２ｃ及び隠蔽印刷層１３ｃは有色状態から無色透明状態に遷移して、有色状態に遷移した第１の印刷層１１ｈ（熱発色インキ）による文字等が認識可能となる。従って読み手は可逆熱変色印刷物３を指などで擦ることにより、第１の印刷層１１ｈおよび第２の印刷層１２ｃの何れか一方の文字等を任意に選択し目視できる。
【００４１】
更に第２の印刷層１２ｃ及び隠蔽印刷層１３ｃの表面を、図６（ｂ）に示すように、透明な非熱変色性インキ１４で覆った可逆熱変色印刷物３では、各印刷層１２ｃ，１３ｃが摩擦等から保護され可逆熱変色印刷物としての耐久性が向上する。
なお、通常状態では、隠蔽印刷層１３ｃ（熱退色インキ）は発色して第１の印刷層を覆い隠すため、第１の印刷層１１ｃは非熱変色性インキで形成されても良い。
【実施例４】
【００４２】
図７は第２の実施形態の変形例に係る可逆熱変色印刷物３の一実施例（実施例４）を示す。実施例４は、例えば問題集等の設問等に対する解答等を表示するものである。
図７（ａ）に示すように、被印刷体１０の表面１０ａには、第１の印刷層１１ｈとして熱発色インキで設問に対する解答Ａ１〜Ａ３が印刷されている。解答Ａ１〜Ａ３は脚注に比べると広い面積に印刷されるので文字等を脚注のように小さくする必要がない。隠蔽印刷層１３ｃ（図示せず）は、第１の印刷層１１ｈとその周辺領域ないし表面１０ａすべての領域を覆っている。解答Ａ１〜Ａ３に対応する領域を覆う隠蔽印刷層１３ｃの表面には、図７（ｂ）に示すように、第２の印刷層１２ｃとして熱退色インキで印刷された設問Ｑ１〜Ｑ３が印刷されている。
【００４３】
通常状態では、隠蔽印刷層１３ｃが（例えば黄色に）発色し、第２の印刷層１２ｃが（例えば黒または青に）発色し、読み手は、第２の印刷層１２ｃとして印刷された設問Ｑ１〜Ｑ３を目視することができる。
読み手が例えば設問Ｑ１の領域を加温状態とすると、設問Ｑ１の領域にある第２の印刷層１２ｃ及び隠蔽印刷層１３ｃ（熱退色インキ）は退色し、設問Ｑ１の領域において被印刷体１０の表面１０ａの表面に形成された第１の印刷層１１ｈが発色して、解答Ａ１が表示される（図４（ｃ））。
【００４４】
加温状態となった可逆熱変色印刷物３を放置すると、可逆熱変色印刷物３は通常状態へ戻り再び設問Ｑ１〜Ｑ３を表示する。即ち、読み手は、可逆熱変色印刷物３を指で擦るなどして、設問と解答となど、関連はあるが同時に表示するには適さない複数の情報の何れか一方を選択し、可逆熱変色印刷物３の表面に表示させることができる。ここで、設問とその解答等は何れも可逆熱変色印刷物の同一頁の表面に広い範囲にわたって印刷できるため、設問および解答は何れも読みやすく、また頁をめくる煩雑さもない。
【００４５】
なお、第１の印刷層１１ｈを熱発色インキ、第２の印刷層１２ｃを熱退色インキとする実施例４において、隠蔽印刷層１３ｃ（熱退色インキ）を省略すれば実施例４は第１の実施形態による可逆熱変色印刷物となる。
【図面の簡単な説明】
【００４６】
【図１】本発明の第１の実施形態に係る可逆熱変色印刷物の概略断面構造を示す図である。
【図２】第１の実施形態の一実施例を示す図である（実施例１）。
【図３】本発明の第２の実施形態に係る可逆熱変色印刷物の概略断面構造を示す図である。
【図４】第２の実施形態の一実施例を示す図である（実施例２）。
【図５】第２の実施形態の他の実施例を示す図である（実施例３）。
【図６】本発明の第２の実施形態に係る可逆熱変色印刷物の変形例の概略断面構造を示す図である。
【図７】第２の実施形態の変形例の一実施例を示す図である（実施例４）。
【符号の説明】
【００４７】
１，２，３      可逆熱変色印刷物
１０      被印刷体
１０ａ      被印刷体の表面
１１ｃ，１１ｈ      第１の印刷層
１２ｃ，１２ｈ      第２の印刷層
１３ｃ，１３ｈ      隠蔽印刷層
１４      透明な非熱変色性材料層
【図１】
2005059423.tif 000003
【図２】
2005059423.tif 000004
【図３】
2005059423.tif 000005
【図４】
2005059423.tif 000006
【図５】
2005059423.tif 000007
【図６】
2005059423.tif 000008
【図７】
2005059423.tif 000009